(57)【要約】      （修正有）【課題】磁気ディスク装置内のデータを抹消する作業が作業者の負担にならず、低コストで、コンパクトな構成を維持し、且つ信頼性も高い磁気ディスク装置。【解決手段】磁気ディスクと、複数の磁気ヘッドと、先端部に磁気ヘッドが取り付けられ、且つ後端部が回動可能な複数のスイングアームと、回動軸を回動させるアクチュエータとを具備する磁気ディスク装置において、全データを抹消する場合に、複数の磁気ヘッドのうちのいずれか一の磁気ヘッドの位置決めを対応する磁気ディスクの記録面に対して実行し、他の磁気ヘッドは対応する磁気ディスクの記録面に対して位置決め無しで、全磁気ヘッドが対応する磁気ディスクの各記録面に対して同時に無効データを上書きするように制御する。【選択図】図４
2007200458.tif 000002
【特許請求の範囲】
【請求項１】
１または複数枚の磁気ディスクと、
磁気ディスクの記録面に対してデータの読み出しおよび書き込みを行う複数の磁気ヘッドと、
先端部に磁気ヘッドが取り付けられ、且つ後端部がそれぞれ１つの回動軸に固定されて同時に回動可能に設けられた複数のスイングアームと、
前記回動軸を回動させるアクチュエータとを具備する磁気ディスク装置において、
当該磁気ディスク装置の全データを抹消する場合に、複数の磁気ヘッドのうちのいずれか一の磁気ヘッドの位置決めを対応する磁気ディスクの記録面に対して実行し、他の磁気ヘッドは対応する磁気ディスクの記録面に対して位置決め無しで、全磁気ヘッドが対応する磁気ディスクの各記録面に対して同時に無効データを上書きするように制御する制御手段を設けたことを特徴とする磁気ディスク装置。
【請求項２】
前記制御手段は、無効データの上書きを同一の記憶領域に対して複数回繰り返し行うように制御することを特徴とする請求項１記載の磁気ディスク装置。
【請求項３】
他の機器と接続されていない状態であっても、前記制御手段による全データの抹消を実行させるために前記制御手段のデータ抹消動作を開始させるスイッチ手段が設けられていることを特徴とする請求項１または請求項２記載の磁気ディスク装置。
【請求項４】
１または複数枚の磁気ディスクと、磁気ディスクの記録面に対してデータの読み出しおよび書き込みを行う複数の磁気ヘッドと、先端部に磁気ヘッドが取り付けられ、且つ後端部がそれぞれ１つの回動軸に固定されて同時に回動可能に設けられた複数のスイングアームと、前記回動軸を回動させるアクチュエータとを具備する磁気ディスク装置に記憶されているデータを抹消するデータ抹消方法において、
複数の磁気ヘッドのうちのいずれか一の磁気ヘッドの位置決めを対応する磁気ディスクの記録面に対して実行し、他の磁気ヘッドは対応する磁気ディスクの記録面に対して位置決め無しで、全磁気ヘッドが対応する磁気ディスクの各記録面に対して同時に無効データを上書きすることを特徴とするデータ抹消方法。
【請求項５】
無効データの上書きは同一の記憶領域に対して複数回繰り返し行うことを特徴とする請求項４記載のデータ抹消方法。
【発明の詳細な説明】
【技術分野】
【０００１】
本発明は、ハードディスク装置として用いられる磁気ディスク装置、および磁気ディスク装置のデータ抹消方法に関する。
【背景技術】
【０００２】
パーソナルコンピュータ等の情報機器を廃棄する際、ハードディスク等の磁気ディスク装置に記憶されているデータの取り扱いが従来から問題となっている。すなわち、磁気ディスク装置は不揮発性の記憶装置であり、廃棄時にユーザが積極的にデータの抹消をしないとデータの漏洩が発生してしまうためである。
【０００３】
磁気ディスク装置内のデータを抹消する方法として、磁気ディスク装置の記憶領域上に無効データを上書きする方法や、磁気ディスク装置を物理的に破壊する方法や、強力な磁場にさらす方法等がよく知られている。
しかし、磁気ディスク装置を物理的に破壊する方法や強力な磁場にさらす方法では、情報機器を分解して筐体から磁気ディスク装置を取り出さなければならず手間がかかり作業者の負担が大きく、しかも専用工具や専用装置無しにユーザが自ら行うことは困難であり、あまり一般に用いられる方法ではない。
【０００４】
この点、磁気ディスクに無効データを上書きする方法では、情報機器の分解等が必要でないため作業者の負担も軽く、ユーザが自ら行うことができるため、リサイクル業者等へ引き渡す前にデータを抹消することができ、磁気ディスクが再利用されてもデータの漏洩が生じることがない。しかし、この方法では、近年のディスク容量の大容量化に伴い、処理時間が非常に長くなってしまうという課題があった。
【０００５】
一方、ディスク容量が大容量であっても、データの書き込み時間を短縮させるために、１枚の磁気ディスクの同一面に対して２以上の磁気ヘッドを設け、書き込み時間を短縮させようとする磁気ディスク装置が、従来より知られている（例えば、特許文献１、特許文献２参照）。
そこで、磁気ディスク装置内のデータを抹消する際の処理時間の短縮のため、上記のような１枚の磁気ディスクの同一面に対して２以上の磁気ヘッドを設けた磁気ディスク装置を提供することも考えられる。
【０００６】
【特許文献１】特開平６−７６５０３号公報
【特許文献２】特開平８−１２４３３４号公報
【発明の開示】
【発明が解決しようとする課題】
【０００７】
磁気ディスク装置におけるデータ抹消の処理時間を短縮するために、特許文献１や特許文献２に開示されている構造を採用した場合には、同一平面内に複数の磁気ヘッドと、磁気ヘッドを取り付けている複数のアームが必要となるので、部品点数の増加により磁気ディスク装置がコストアップとなってしまうという課題がある。
また、磁気ディスク装置は、一般的にその大きさが規格で決まっているが、特許文献１や特許文献２に開示されている構造では磁気ディスク装置全体のサイズが大きくなってしまい、規格に合ったサイズの磁気ディスク装置を構成できないという課題もある。
さらに、複数のアームの駆動によって電力消費量が増加し、これに伴って発熱量が増加するため、部品の信頼性の低下を招くおそれもあるという課題もある。
【０００８】
そこで、本発明の目的は、上記課題を解決すべくなされ、その目的とするところは、磁気ディスク装置内のデータを抹消する際に抹消作業が作業者の負担にならず、低コストで、コンパクトな構成を維持し、且つ信頼性も高い大容量な磁気ディスク装置およびデータ抹消方法を提供することにある。
【課題を解決するための手段】
【０００９】
本発明は上記目的を達成すべく、以下の構成を備える。
すなわち、本発明にかかる磁気ディスク装置によれば、１または複数枚の磁気ディスクと、磁気ディスクの記録面に対してデータの読み出しおよび書き込みを行う複数の磁気ヘッドと、先端部に磁気ヘッドが取り付けられ、且つ後端部がそれぞれ１つの回動軸に固定されて同時に回動可能に設けられた複数のスイングアームと、前記回動軸を回動させるアクチュエータとを具備する磁気ディスク装置において、当該磁気ディスク装置の全データを抹消する場合に、複数の磁気ヘッドのうちのいずれか一の磁気ヘッドの位置決めを対応する磁気ディスクの記録面に対して実行し、他の磁気ヘッドは対応する磁気ディスクの記録面に対して位置決め無しで、全磁気ヘッドが対応する磁気ディスクの各記録面に対して同時に無効データを上書きするように制御する制御手段を設けたことを特徴としている。
【００１０】
この構成を採用することによって、複数の磁気ヘッドから磁気ディスクの複数の記録面に対して、同時に無効データを上書きできるため、書き込み時間を短縮することができる。特に、複数の磁気ヘッドのうちのいずれか１つだけを対応する磁気ディスクの記録面に対して位置決めし、他の磁気ヘッドについては、位置決めせずに無効データを上書きするので、磁気ヘッドの数が多いほど、書き込み時間の短縮効果が高まる。また、このような構成をなんら新たな構成を付加することなく実現できるので、磁気ディスク装置を大型化することなく、規格に適合した大きさの磁気ディスク装置を提供できる。
【００１１】
また、前記制御手段は、無効データの上書きを同一の記憶領域に対して複数回繰り返し行うように制御することを特徴とすることで、データが残存することがなく、データの確実な抹消が行える。
【００１２】
さらに、他の機器と接続されていない状態であっても、前記制御手段による全データの抹消を実行させるために前記制御手段のデータ抹消動作を開始させるスイッチ手段が設けられていることを特徴としてもよい。
これによれば、磁気ディスク装置が情報機器から取り外されてスタンドアローン状態となっている場合でも、スイッチ手段を操作するだけで磁気ディスク装置が単独でデータ抹消動作を実行することができる。
【００１３】
本発明にかかるデータ抹消方法によれば、１または複数枚の磁気ディスクと、磁気ディスクの記録面に対してデータの読み出しおよび書き込みを行う複数の磁気ヘッドと、先端部に磁気ヘッドが取り付けられ、且つ後端部がそれぞれ１つの回動軸に固定されて同時に回動可能に設けられた複数のスイングアームと、前記回動軸を回動させるアクチュエータとを具備する磁気ディスク装置に記憶されているデータを抹消するデータ抹消方法において、複数の磁気ヘッドのうちのいずれか一の磁気ヘッドの位置決めを対応する磁気ディスクの記録面に対して実行し、他の磁気ヘッドは対応する磁気ディスクの記録面に対して位置決め無しで、全磁気ヘッドが対応する磁気ディスクの各記録面に対して同時に無効データを上書きすることを特徴としている。
【００１４】
この方法によれば、複数の磁気ヘッドから磁気ディスクの複数の記録面に対して、同時に無効データを上書きできるため、書き込み時間を短縮することができる。特に、複数の磁気ヘッドのうちのいずれか１つだけを対応する磁気ディスクの記録面に対して位置決めし、他の磁気ヘッドについては、位置決めせずに無効データを上書きするので、磁気ヘッドの数が多いほど、書き込み時間の短縮効果が高まる。
また、無効データを同一の領域に複数回上書きすることを特徴とすれば、データが残存することがなく、データの確実な抹消が行える。
【発明の効果】
【００１５】
本発明にかかる磁気ディスク装置およびデータ抹消方法によれば、データ抹消にかかる処理時間の短縮を、コストを増加させず且つ装置を大型化させずに行うことができる。
【発明を実施するための最良の形態】
【００１６】
以下、本発明の好適な実施の形態を添付図面に基づいて詳細に説明する。
図１は磁気ディスク装置の内部構成の概略を示す平面図、図２は内部構成の概略を示す断面図である。
磁気ディスク装置３０は、複数枚の磁気ディスク３２が数ｍｍ程度の間隔をあけて重ねられ、1個のスピンドルモータ３４によって同時に回転駆動されるように回転中心が連結されて設けられている。本実施形態における各磁気ディスク３２は、表面と裏面の両面がデータの書き込み可能な記録面として設けられている。
【００１７】
磁気ディスク３２は、アルミニウムやガラスの円盤に磁性体をコーティングして形成されており、磁気ディスク３２からのデータの読み書きは、磁気ディスク３２表面近傍に配置された磁気ヘッド３６によって行われる。磁気ヘッド３６は、磁気ディスク３２に対して非接触となるように設けられている。
また、本実施形態の磁気ディスク３２は、両面がデータ書き込み可能となっているので、磁気ヘッド３６は、各磁気ディスク３２の両面にそれぞれ配置される。例えば、図２に示すように３枚の磁気ディスク３２が重ねられている場合には、合計６個の磁気ヘッド３６が設けられることとなる。
【００１８】
各磁気ヘッド３６は、それぞれスイングアーム３８の先端部に取り付けられている。
各スイングアーム３８の後端部は全てのスイングアーム３８が一体となって動作するように、一体化されて固定されている。
【００１９】
一体化されたスイングアーム３８の後端部は、1つの回動軸４０を中心にして回動可能となるように回動軸４０に枢着されている。一体化された複数本のスイングアーム３８は、アクチュエータ４２に接続されており、アクチュエータ４２が一体化されたスイングアーム３８を回動軸４０を中心に回動させる。アクチュエータ４２としてはステッピングモータ等が用いられる。
【００２０】
図３は、磁気ディスク装置３０の制御系を示すブロック図である。
磁気ディスク装置３０には、磁気ディスク装置３０全体の動作を制御する制御部４４が設けられている。制御部４４は、コントローラＩＣ４６、モータドライブＩＣ４８、ＲＯＭ５０、ＲＡＭ５２等から構成されている。制御部４４は、ＲＯＭ５０にあらかじめ搭載されているプログラム（ファームウェア）をコントローラＩＣ４６が読み出して、プログラムに基づいて各構成が所定の動作を実行するように制御する。また、スピンドルモータ３４の回転制御は、コントローラＩＣ４６の制御に基づいてモータドライブＩＣ４８が実行する。
【００２１】
さらに、磁気ディスク装置３０には、情報機器（パーソナルコンピュータ等）とデータの送受信を実行するデータ送受信部５４が設けられている。データ送受信部５４は、ＡＴＡ等の規格に基づいて、情報機器とのデータ送受信を実行する。
【００２２】
本実施形態の制御部４４は、磁気ディスク３２に記録されているデータの抹消を行うデータ抹消機能を有している。
具体的には、ＲＯＭ５０内にデータ抹消時にコントローラＩＣ４６に動作させる内容を記述したデータ抹消プログラム５６が記憶されており、コントローラＩＣ４６がＲＯＭ５０からデータ抹消プログラム５６を読み出して実行することによって、磁気ディスク３２内のデータを抹消するデータ抹消機能を実現している。
【００２３】
また、コントローラＩＣ４６は、無効データ発生機能５８を有している。無効データ発生機能５８は、例えば乱数発生器等から成る。コントローラＩＣ４６は、無効データ発生機能５８によってランダムなデータである無効データを発生し、各磁気ヘッド３６を介して磁気ディスク３２に無効データを書き込ませることができる。
【００２４】
続いて、制御部４４が実行するデータ抹消の方法について、図４を参照しつつ以下に説明する。
情報機器（図示せず）の廃棄に伴い、ユーザが磁気ディスク装置３０内のデータを抹消しようと考えた場合、ユーザは磁気ディスク装置３０内のデータ抹消をするために、データ抹消プログラム５６を実行するように磁気ディスク装置３０に命令する所定の制御信号を出力すべく情報機器を操作する（ステップＳ１００）。
【００２５】
データ抹消プログラム５６を実行するように命令された制御信号を受信した磁気ディスク装置３０では、コントローラＩＣ４６がＲＯＭ５０からデータ抹消プログラム５６を読み出してデータ抹消プログラム５６に基づいて、データ抹消方法を実行する。
データ抹消プログラム５６に基づいて、まずコントローラＩＣ４６が、複数の磁気ヘッド３６のうちのいずれか１つのみを、対応する磁気ディスク３２の記録面に対して位置決めさせる（ステップＳ１０２）。
【００２６】
すなわち、データ抹消プログラム５６は、コントローラＩＣ４６に、いずれかの磁気ディスク３２の記録面のサーボトラックを読み込み、当該記録面の全セクタに対して無効データを上書きするように、アクチュエータ４２を制御して磁気ヘッド３６を位置決めさせる。
複数の磁気ヘッド３６のうちいずれか一の磁気ヘッド３６の位置決めを実行することにより、その他の磁気ヘッド３６も位置決めはしていなくとも、対応する磁気ディスク３２の各記録面に対して位置決めした磁気ディスク３２に対する位置とほぼ同一の位置に存することとなる。
【００２７】
次に、コントローラＩＣ４６は、無効データ発生機能５８によって無効データを発生させる（ステップＳ１０４）。
そして、コントローラＩＣ４６は、各磁気ヘッド３６が磁気ディスク３２の各記録面のほぼ同一位置にあることを利用し、複数の磁気ヘッド３６から磁気ディスク３２の全記録面に同時に無効データを上書きさせる（ステップＳ１０６）。
【００２８】
無効データの上書きは、同一の記憶領域に複数回繰り返し行う（ステップＳ１０８）。複数回繰り返して無効データを上書きすることによって、元のデータの残留磁気の影響を消去して、データの抹消をより確実なものとすることができる。
【００２９】
（第２実施形態）
次に、図５に基づいて本発明の第２の実施形態について説明する。なお、上述した第１の実施形態と同一の構成要素については同一の符号を付し、説明を省略する場合もある。
第２の実施形態によれば、磁気ディスク装置３０は、情報機器（パーソナルコンピュータを含め、磁気ディスク装置を接続して磁気ディスク装置３０に対してデータの読み書きが可能な機器）の動作によらず、他の機器を接続していない状態で単独でデータ抹消を実行することができる。
【００３０】
磁気ディスク装置３０は、単独でデータ抹消の動作を実行させるためにユーザが操作するデータ抹消動作起動用スイッチ６０が設けられている。
ユーザによってデータ抹消動作起動用スイッチ６０が操作されると、データ抹消動作起動用スイッチ６０に接続されているコントローラＩＣ４６は、ＲＯＭ５０からデータ抹消プログラム５６を読み出し、データ抹消プログラム５６を実行する。
【００３１】
読み出したデータ抹消プログラム５６によるデータの抹消方法は、上述した第１の実施形態と同一である。
すなわち、データ抹消プログラム５６は、コントローラＩＣ４６に、複数の磁気ヘッド３６のうちのいずれかの磁気ヘッド３６から磁気ディスク３２の記録面のサーボトラックを読み込み、当該記録面の全セクタに対して無効データを上書きするように、アクチュエータ４２を制御して磁気ヘッド３６を位置決めさせる。
複数の磁気ヘッド３６のうち、いずれか一の磁気ヘッド３６の位置決めを実行することにより、その他の磁気ヘッド３６も位置決めはしていなくとも、対応する磁気ディスク３２の各記録面に対して位置決めした磁気ディスク３２に対する位置とほぼ同一の位置に存することとなる。
【００３２】
そして、データ抹消プログラム５６は、コントローラＩＣ４６の無効データ発生機能５８が発生させた無効データをコントローラＩＣ４６から全磁気ヘッド３６に伝送させ、全磁気ヘッド３６が対応する磁気ディスク３２の記録面に無効データをそれぞれ上書きする。無効データの上書きは、同一の記憶領域に複数回繰り返し行われる。
【００３３】
なお、データ抹消動作起動用スイッチ６０としては、単独のスイッチとして新たに設ける場合のほか、磁気ディスク装置３０のモード設定等を行うために制御基板表面や背面にあらかじめ設けられているＤＩＰスイッチやジャンパスイッチを用いるようにしてもよい。
【００３４】
上述してきた各実施形態によるデータ抹消の方法を採用することによる作用効果について、図６に基づいて説明する。
図６では、従来の方法によりデータ抹消が行われる場合と、本発明によりデータ抹消が行われる場合での磁気ディスク３２のどちらか一方の面に無効データを１回書き込む時間を１とした場合の全磁気ディスク３２に対してのデータ書き込み時間の比較を表している。
【００３５】
これによると、従来の方法のように、各磁気ディスクに対しての無効データの上書きの際に、磁気ヘッド１つにつき対応する磁気ディスク３２に対して１枚ずつ位置決めを行って、１面ずつ無効データの上書きをすると、上書きの回数に磁気ヘッドの数を乗算しただけの時間がかかる。
しかし、本発明のように、いずれか１つの磁気ヘッド３６のみを位置決めして、その他の磁気ヘッド３６については位置決めせずに位置決めした磁気ヘッド３６の動作に従属して動作させるようにしたので、磁気ヘッド３６の数にかかわらず上書きの回数だけの時間で済む。
このように、磁気ヘッド３６の数が多いほど、本発明の効果は大きく、データ抹消にかかる時間をきわめて短時間にすることができる。
【００３６】
なお、磁気ディスクとしては上述した各実施形態のように両面にデータの書き込みが可能な記録面が形成されているものだけでなく、片面のみデータの書き込み可能な記録面というものであってもよい。
かかる場合には、１枚の磁気ディスク３２に対して磁気ヘッド３６は１つだけ設けられることとなる。
【００３７】
なお、無効データの発生機能としては、上述した各実施形態のように乱数発生器のようなものに限定されることはない。
例えば、あらかじめ製作しておいた無効データをＲＯＭ５０等の記憶手段内に記憶させておき、無効データの上書き時にコントローラＩＣ４６があらかじめ記憶された無効データを読み出して、各磁気ヘッド３６を介して磁気ディスク３２に書き込ませるように制御してもよい。
【００３８】
また、無効データの発生機能は情報機器が具備するようにしてもよい。すなわち、情報機器には、ユーザの操作に基づいて磁気ディスク装置３０に対してデータ抹消に関する制御信号を出力するデータ抹消操作プログラムが記憶されており、データ抹消操作プログラムが無効データの発生機能を有しているものとする。
データ抹消操作プログラムが、ユーザによって操作されることによって、磁気ディスク装置３０に対してデータ抹消命令である制御信号および無効データを出力し、これを受信した磁気ディスク装置３０にデータ抹消動作を実行させる。
【００３９】
すなわち、データ抹消プログラム５６を実行するように命令された制御信号を受信した磁気ディスク装置３０では、コントローラＩＣ４６がＲＯＭ５０からデータ抹消プログラム５６を読み出してデータ抹消プログラム５６に基づいて、データ抹消方法を実行する。
データ抹消プログラム５６に基づいて、まずコントローラＩＣ４６が、複数の磁気ヘッド３６のうちのいずれか１つのみを、対応する磁気ディスク３２の記録面に対して位置決めさせる。
【００４０】
データ抹消プログラム５６は、コントローラＩＣ４６に、いずれかの磁気ディスク３２の記録面のサーボトラックを読み込み、当該記録面の全セクタに対して無効データを上書きするように、アクチュエータ４２を制御して磁気ヘッド３６を位置決めさせる。
複数の磁気ヘッド３６のうちいずれか一の磁気ヘッド３６の位置決めを実行することにより、その他の磁気ヘッド３６も位置決めはしていなくとも、対応する磁気ディスク３２の各記録面に対して位置決めした磁気ディスク３２に対する位置とほぼ同一の位置に存することとなる。
【００４１】
次に、コントローラＩＣ４６は、情報機器から送信されてきた無効データを、各磁気ヘッド３６が磁気ディスク３２の各記録面のほぼ同一位置にあることを利用し、複数の磁気ヘッド３６から磁気ディスク３２の全記録面に同時に上書きさせる。無効データの上書きは、同一の記憶領域に複数回繰り返し行う。
【００４２】
ただし、このような構成を採用した場合には、無効データは磁気ディスク装置３０内では発生できないので、データ抹消動作起動用スイッチ６０を設けて磁気ディスク装置３０単独でデータの抹消を実行することはできない。
このような構成は、従来と比較して磁気ディスク装置３０側の変更を最小限にすることができるので、既存の装置に対しても容易に適用させることができる。
【００４３】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４４】
【図１】本発明の磁気ディスク装置の内部構成を説明するための平面図である。
【図２】磁気ディスク装置の内部構成を説明するための側面図である。
【図３】磁気ディスク装置の機能を説明するためのブロック図である。
【図４】本発明のデータ抹消方法について説明するフローチャートである。
【図５】第２の実施形態の磁気ディスク装置の機能を説明するためのブロック図である。
【図６】本発明の時間短縮効果を説明するために従来の場合と比較した表である。
【符号の説明】
【００４５】
３０   磁気ディスク装置
３２   磁気ディスク
３４   スピンドルモータ
３６   磁気ヘッド
３８   スイングアーム
４０   回動軸
４２   アクチュエータ
４４   制御部（制御手段）
５４   データ送受信部
５６   データ抹消プログラム
５８   無効データ発生機能
６０   データ抹消動作起動用スイッチ（スイッチ手段）
【図１】
2007200458.tif 000003
【図２】
2007200458.tif 000004
【図３】
2007200458.tif 000005
【図４】
2007200458.tif 000006
【図５】
2007200458.tif 000007
【図６】
2007200458.tif 000008